(57)【要約】【課題】排水管の不要水やユニットバスの内側の水がユニットバスの外側に漏水するおそれが少なく、保守点検作業もユニットバスの内側から簡便に行えるようにする。【解決手段】ユニットバスＢの外側に装備してある補助装置に、その補助装置において生じた不要水を排水可能な排水管１を接続し、その排水管をユニットバスの外側に沿って配管して、不要水を補助装置から離れた箇所でユニットバスの内側に排水可能に固定してある排水用配管構造であって、ユニットバスの側壁２に貫通孔３を形成して、その貫通孔に排水管の端部を挿通し、排水管と貫通孔の内周縁との隙間を塞ぐシール機構１４と、排水管をその端部開口１５がユニットバスの内側に臨むように固定可能な固定機構１６とを設けてある。【選択図】図２
2008214909.tif 000002
【特許請求の範囲】
【請求項１】
ユニットバスの外側に装備してある補助装置に、その補助装置において生じた不要水を排水可能な排水管を接続し、
前記排水管を前記ユニットバスの外側に沿って配管して、前記不要水を前記補助装置から離れた箇所で前記ユニットバスの内側に排水可能に固定してある排水用配管構造であって、
前記ユニットバスの側壁に貫通孔を形成して、その貫通孔に前記排水管の端部を挿通し、
前記排水管と前記貫通孔の内周縁との隙間を塞ぐシール機構と、
前記排水管をその端部開口が前記ユニットバスの内側に臨むように固定可能な固定機構とを設けてある排水用配管構造。
【請求項２】
排水口を形成してある中空ケースを、その排水口が前記ユニットバスの内側で下向きに臨むように、前記ユニットバスの内外に亘って前記貫通孔に挿通し、
前記排水管の端部を前記中空ケースの内側に入り込ませて前記中空ケースと共に前記貫通孔に挿通し、
前記中空ケースと前記貫通孔の内周縁との隙間を塞ぐ第１シール部と、前記中空ケースの内側と前記排水管との隙間を塞ぐ第２シール部とを設けて前記シール機構を構成し、
前記中空ケースを前記側壁に固定する固定部を設けて前記固定機構を構成してある請求項１記載の排水用配管構造。
【発明の詳細な説明】
【技術分野】
【０００１】
本発明は、ユニットバスの外側に装備してある補助装置に、その補助装置において生じた不要水を排水可能な排水管を接続し、前記排水管を前記ユニットバスの外側に沿って配管して、前記不要水を前記補助装置から離れた箇所で前記ユニットバスの内側に排水可能に固定してある排水用配管構造に関する。
【背景技術】
【０００２】
ユニットバスの外側に装備してある補助装置として、例えば、給水管を通して供給される水を熱交換器で加熱して、温水ミストとしてノズルから浴室内に噴霧するミストサウナ機能付き浴室暖房機があり、この浴室暖房機においては、熱交換器を通過した温水のうちの温水ミストとして噴霧されなかった温水を不要水としてユニットバスの内側に排水するために、熱交換器の下手側で給水管に分岐接続した排水管をユニットバスの外側に沿って配管して、不要水を浴室暖房機から離れた箇所でユニットバスの内側に排水できるように固定してある（例えば、特許文献１参照）。
上記排水用配管構造では、従来、例えば図９に示すように、ユニットバスＢの設置時に、ユニットバスＢの側壁２に形成してある貫通孔にユニットバスＢの外側からエルボ継手５０の一端側を挿通し、そのエルボ継手Ｂの一端側に環状のシール用パッキン材５１を挟んでユニットバスＢの内側からねじ込んだロックナット５２でエルボ継手Ｂを側壁に固定するとともに、そのロックナット５２を覆うように排水金具５３をねじ込み固定して、ユニットバスＢの外側に沿って配管した排水管１を、ユニットバスＢの外側において、エルボ継手５０の他端側に接続してある。
【０００３】
【特許文献１】特開２００５−１５２１９７号公報
【発明の開示】
【発明が解決しようとする課題】
【０００４】
このため、排水管１とエルボ継手５０との接続部５４がユニットバスＢの外側に設けられていることになり、接続部５４にシール不良などのトラブルが生じると、排水管１の不要水や、ユニットバスＢの内側からエルボ継手５０に流入した水が接続部５４からユニットバスＢの外側に漏水するおそれがあるとともに、接続部５４の保守点検作業もユニットバスＢの内側から簡便に行い難い欠点がある。
本発明は上記実情に鑑みてなされたものであって、排水管の不要水やユニットバスの内側の水がユニットバスの外側に漏水するおそれが少なく、保守点検作業もユニットバスの内側から簡便に行えるようにすることを目的とする。
【課題を解決するための手段】
【０００５】
本発明の第１特徴構成は、ユニットバスの外側に装備してある補助装置に、その補助装置において生じた不要水を排水可能な排水管を接続し、前記排水管を前記ユニットバスの外側に沿って配管して、前記不要水を前記補助装置から離れた箇所で前記ユニットバスの内側に排水可能に固定してある排水用配管構造であって、前記ユニットバスの側壁に貫通孔を形成して、その貫通孔に前記排水管の端部を挿通し、前記排水管と前記貫通孔の内周縁との隙間を塞ぐシール機構と、前記排水管をその端部開口が前記ユニットバスの内側に臨むように固定可能な固定機構とを設けてある点にある。
【０００６】
〔作用及び効果〕
ユニットバスの側壁に貫通孔を形成して、その貫通孔に排水管の端部を挿通し、排水管と貫通孔の内周縁との隙間を塞ぐシール機構と、排水管をその端部開口がユニットバスの内側に臨むように固定可能な固定機構とを設けてあるので、排水管の不要水やユニットバスの内側の水がユニットバスの外側に漏水するおそれが少なく、保守点検作業もユニットバスの内側から簡便に行える。
【０００７】
本発明の第２特徴構成は、排水口を形成してある中空ケースを、その排水口が前記ユニットバスの内側で下向きに臨むように、前記ユニットバスの内外に亘って前記貫通孔に挿通し、前記排水管の端部を前記中空ケースの内側に入り込ませて前記中空ケースと共に前記貫通孔に挿通し、前記中空ケースと前記貫通孔の内周縁との隙間を塞ぐ第１シール部と、前記中空ケースの内側と前記排水管との隙間を塞ぐ第２シール部とを設けて前記シール機構を構成し、前記中空ケースを前記側壁に固定する固定部を設けて前記固定機構を構成してある点にある。
【０００８】
〔作用及び効果〕
排水口を形成してある中空ケースを、その排水口がユニットバスの内側で下向きに臨むように、ユニットバスの内外に亘って貫通孔に挿通し、排水管の端部を中空ケースの内側に入り込ませてその中空ケースと共に貫通孔に挿通してあるので、仮に、中空ケースの内側に入り込んでいる排水管部分が破損しても、ユニットバスの外側に漏水するおそれが少ないと共に、ユニットバスの外側に沿って配管した排水管を中空ケースの内側において屈曲させて貫通孔に挿通することができ、排水管の屈曲部位が他物との接触で損傷を受けるような事態を防止できる。
そして、中空ケースと貫通孔の内周縁との隙間を塞ぐ第１シール部と、中空ケースの内側と排水管との隙間を塞ぐ第２シール部とを設けて、排水管と貫通孔の内周縁との隙間を塞ぐシール機構を構成してあるので、ユニットバスの内側の水のユニットバスの外側への漏水を防止できる。
更に、排水管の端部を内側に入り込ませてある中空ケースを側壁に固定する固定部を設けて固定機構を構成してあるので、中空ケースを側壁に固定することで、排水管の端部と、その端部を内側に入り込ませてある中空ケースとの相対姿勢を略一定に維持しながら、排水管をその端部開口がユニットバスの内側に臨むように固定できる。
【発明を実施するための最良の形態】
【０００９】
以下に本発明の実施の形態を図面に基づいて説明する。尚、図面において従来例と同一の符号で表示した部分は、同一又は相当の部分を示している。
〔第１実施形態〕
図１は、補助装置の一例としての、給水管を通して供給される水を熱交換器で加熱して、温水ミストとしてノズルから浴室内に噴霧するミストサウナ機能付き浴室暖房機Ａを天井部分の外側に装備してあるユニットバスＢを示している。
【００１０】
前記浴室暖房機Ａには、その浴室暖房機Ａにおいて生じた不要水、つまり、熱交換器を通過した温水のうちの温水ミストとして噴霧されなかった不要温水を排水可能な可撓性を備えた排水管１を接続してある。
【００１１】
そして、その排水管１をユニットバスＢの外側に沿って配管して、不要温水を浴室暖房機Ａから離れた低い箇所、つまり、ユニットバスＢの外周部を形成している側壁２の下部で、ユニットバスＢの内側に自然流下させて排水可能に固定してある本発明による排水用配管構造を設けてある。
【００１２】
前記排水管１の先端部は、図２に示すように、ユニットバスＢの側壁２のうちの、洗い場カウンターＣの下側の側壁部分２ａに形成した壁貫通孔３に挿通して、不要水を洗い場カウンターＣの下側の目立たない箇所からユニットバスＢの内側に排水できるように設けてある。
【００１３】
つまり、排水口４を形成してある樹脂製中空ケース５を、その排水口４がユニットバスＢの内側で下向きに臨むように、ユニットバスＢの内外に亘って壁貫通孔３に挿通し、排水管１の先端部をその中空ケース５の内側に入り込ませて中空ケース５と共に壁貫通孔３に挿通してある。
【００１４】
前記中空ケース５は、側壁部分２ａに沿わせて取り付ける縦壁部６と側壁部分２ａに直交する水平方向に沿わせて取り付ける水平壁部７とを備えていて、側面視で略扇形の中空部８を形成してあるケース本体９に、排水管１の先端部を上方から挿通する縦円筒部１０と、排水管１の先端部を横方向から入り込ませる円筒状の横筒部１１と、横筒部１１の外向き開口部を塞ぐキャップ１２とを設けて構成してある。
【００１５】
前記キャップ１２は、横筒部１１の外周部に形成した雄ねじ部１３に着脱自在にねじ込んで取り付けてあり、その外周壁部に排水口４を貫通形成して、排水口４が下向きになるように取り付けてある。
【００１６】
そして、縦円筒部１０を水平壁部７に連接してその内側を中空部８に連通させるとともに、横筒部１１を、側面視でその下側筒壁部分がケース本体９の湾曲外周壁部分に一連に連続するように、縦壁部６に連接してその内側を中空部８に連通させ、縦円筒部１０から中空ケース５の内側に挿入した一連の排水管１をその内側で湾曲させて、排水管１の先端部を横筒部１１の内側に入り込ませてあり、排水管１と壁貫通孔３の内周縁との隙間を塞ぐシール機構１４と、排水管１をその先端部開口１５がユニットバスＢの内側に臨むように固定可能な固定機構１６とを設けてある。
【００１７】
前記シール機構１４は、中空ケース５と壁貫通孔３の内周縁との隙間を塞ぐ第１シール部１７と、中空ケース５の内側と排水管１との隙間を塞ぐ第２シール部１８とを設けて構成してある。
【００１８】
前記第１シール部１７は、ユニットバスＢの内側において壁貫通孔３の周囲を一連に囲むシール用の第１弾性リング材１９を、横筒部１１の雄ねじ部１３にねじ込んであるシール押え金具２０と側壁部分２ａとで挟み込んで、中空ケース５と壁貫通孔３の内周縁との隙間を塞いであり、シール押え金具２０を覆う化粧リング２１を雄ねじ部１３にねじ込み固定してある。
【００１９】
前記第２シール部１８は、縦円筒部１０の内側と排水管１との隙間を塞ぐ上部シール部２２と、横筒部１１の内側と排水管１の先端部との隙間を塞ぐ下部シール部２３との２箇所のシール部を設けて構成してある。
【００２０】
前記上部シール部２２は、縦円筒部１０の外側端部に大径部２４を設けるとともに、その外側に環状鍔２５と雄ねじ部２６を形成し、排水管１に予め外嵌してあるシール用の弾性リング材２７を大径部２４に入り込ませるとともに、排水管１に予め挿通してある押え金具２８を環状鍔２５に接当するまで大径部２４の雄ねじ部２６にねじ込むことにより、ゴム製の弾性リング材２７をその外周面が大径部２４の内周面に圧接され、かつ、内周面が排水管１の外周面に圧接されるように圧縮変形させて、縦円筒部１０の内側と排水管１との隙間を塞ぐようにしてある。
【００２１】
前記下部シール部２３は、排水管１の先端部を排水管挿入孔２９に挿入してある略円柱状の保持部材３０をシール用の弾性材で形成し、その保持部材３０の外径を横筒部１１の内径よりも若干大径に形成するとともに、排水管挿入孔２９の内径を排水管１の外径よりも若干小径に形成して、排水管１の先端部を排水管挿入孔２９に圧入してあるゴム製の保持部材３０を、縮径変形させながら横筒部１１の内側に圧入することによって、横筒部１１の内側と排水管１の先端部との隙間を塞ぐようにしてある。
【００２２】
前記保持部材３０は、溝底面３７が筒軸芯Ｘに対して直交する方向に沿って略Ｕ字状の排水用凹溝部３４を外周側に形成して、排水管挿入孔２９に挿入した排水管１の先端部開口１５が排水用凹溝部３４の内側に開口するように、排水管挿入孔２９を筒軸芯Ｘに対して斜めに形成してある。
【００２３】
前記固定機構１６は、中空ケース５を、縦円筒部１０が上側に位置し、かつ、横筒部１１が下側に位置して、横筒部１１が壁貫通孔３に挿通されている姿勢で側壁部分２ａに固定する第１固定部３１と、排水管１の先端部を中空ケース５に対してその先端部開口１５がユニットバスＢの内側において下向きに臨むように固定する第２固定部３２とを設けて構成してある。
【００２４】
前記第１固定部３１は、中空ケース５の縦壁部６をケース本体９の外方に延設して、横筒部１１の外周部を上向き略Ｕ字状に囲む鍔部３３を形成し、その鍔部３３を側壁部分２ａにビス止めして、中空ケース５を側壁２に固定してある。
【００２５】
前記第２固定部３２は、排水管１を排水管挿入孔２９に挿通してある保持部材３０を、その排水用凹溝部３４が下向きになるように、横筒部１１に対して位置決めする位置決め機構４０と、キャップ１２を、その排水口４が横筒部１１に対して位置決めしてある保持部材３０の排水用凹溝部３４に臨むように固定するキャップ固定部４１とを設けて構成してある。
【００２６】
前記位置決め機構４０は、横筒部１１の内周側に位置決め用凹溝３５を筒軸芯Ｘ方向に沿って形成するとともに、保持部材３０の外周側に突条部３６を形成して、突条部３６が位置決め用凹溝部３４に入り込むように、保持部材３０を横筒部１１の内側に圧入することにより、保持部材３０を、その排水用凹溝部３４が下向きになるように、横筒部１１に対して位置決めできるようにしてある。
【００２７】
前記キャップ固定部４１は、キャップ１２に予め形成してある貫通孔３８を通して、ビス３９を保持部材３０に予め形成してある雌ねじ部４３にねじ込んで、貫通孔３８に入り込んでいるビス頭４２とキャップ１２との係合で、キャップ１２と保持部材３０との相対姿勢を、排水管挿入孔２９に挿入した排水管１の先端部開口１５が排水用凹溝部３４からキャップ１２の排水口４に臨む姿勢に固定できるように構成してある。
【００２８】
尚、図示しないが、下部シール部２３のシール機能を省いて、中空ケース５内に水が入っても、その水が溜まらないように、保持部材３０の外周部に、空気抜き用溝と水抜き用溝とを上下に形成してあっても良い。
【００２９】
〔第２実施形態〕
図４〜図８は、本発明による排水用配管構造の別実施形態を示し、中空ケース５は、側壁部分２ａに沿わせて取り付ける縦壁部６と、側壁部分２ａに直交する水平方向に沿わせて取り付ける水平壁部７と、側壁部分２ａに沿わせて縦壁部６に延設してある本体固定用鍔部３３とを備えていて、側面視で略Ｊの字形の中空部８を形成してあるケース本体９に、排水管１を水密に挿通してある排水管挿通部４４と、排水管１の先端部を横方向から入り込ませてある横断面形状が縦長小判型の横筒部１１と、横筒部１１の外向き開口部を塞ぐキャップ１２とを設けて構成してある。
【００３０】
前記ケース本体９は、本体固定用鍔部３３を側壁部分２ａにビス止めして位置決め固定してあり、キャップ１２は、その外周部に設けてあるキャップ固定用鍔部４５に挿通したビス４６を、壁貫通孔３に通して、本体固定用鍔部３３のネジ孔４７にねじ込んで、本体固定用鍔部３３を介して側壁部分２ａに固定してある。
【００３１】
前記キャップ１２は、図７に示すように、横筒部１１の外周部にシール用Ｏリング４８を挟んで嵌合して、キャップ１２の横筒部１１に対する嵌合深さを側壁部分２ａの厚さに応じて調節できるようにしてあり、その外周壁部に排水口４を貫通形成して、排水口４が下向きになるように取り付けてある。
尚、横筒部１１が縦長小判型になっているため、排水管１が側壁２に近接している場合であっても、確実に排水口４を下向きに配置することができる。
【００３２】
そして、排水管挿通部４４から中空ケース５の内側に挿入した排水管１をその内側で湾曲させて、排水管１の先端部を横筒部１１の内側に入り込ませてある。
【００３３】
前記排水管１と壁貫通孔３の内周縁との隙間を塞ぐシール機構１４は、キャップ固定用鍔部４５に環状の押さえ部材４９を一体形成して、その押さえ部材４９で側壁部分２ａ側に押し付けられる第１弾性リング材１９を設けてある第１シール部１７と、排水管挿通部４４の内側と排水管１との隙間を塞ぐ第２シール部１８とを設けて構成してある。
【００３４】
前記第２シール部１８は、水平壁部７の上面側に、排水管挿通用貫通孔６０よりも内径が大きい大径円筒部６１を一体に設け、排水管１に予め外嵌してあるシール用の弾性リング材２７を大径円筒部６１に入り込ませるとともに、排水管１に予め挿通してある押え金具２８を水平壁部７に接当するまで大径円筒部６１の外周部ににねじ込むことにより、弾性リング材２７をその外周面が大径円筒部６１の内周面に圧接され、かつ、内周面が排水管１の外周面に圧接されるように圧縮変形させて、排水管挿通部４４の内側と排水管１との隙間を塞ぐようにしてある。
【００３５】
前記排水管１をその先端部開口１５がユニットバスＢの内側に臨むように固定可能な固定機構１６は、横筒部１１の内側に回り止め状態で嵌合して位置決めされる嵌合部６２と、排水用凹溝部３４が形成されている先端部６３と、排水用凹溝部３４に開口する排水管挿入孔２９とを備えたゴムなどの弾性材又は樹脂成型品の保持部材３０と、その保持部材３０を外嵌して一体に固定してあるキャップ１２とで構成してある。
【００３６】
前記排水管挿入孔２９は、排水用凹溝部３４側ほど排水管１の外径よりも小径になるテーパ状に形成して、排水管１を排水管挿入孔２９に強制的に押し込むことで、排水管１を保持部材３０に対して固定してあると共に、排水管挿入孔２９の内周面と排水管１外周面との間を封水してある。
【００３７】
そして、排水管挿入孔２９に排水管１を挿通して、キャップ１２を本体固定用鍔部３３に固定することで、排水用凹溝部３４を下向きにして、先端部開口１５が排水用凹溝部３４からユニットバスＢの内側に臨むように固定可能に設けてある。
【００３８】
また、キャップ１２を本体固定用鍔部３３に固定した状態で、嵌合部６２の下面側とケース本体９の内面との間に隙間６４が形成されるように保持部材３０をキャップ１２に固定して、中空部８に水が入り込んだ場合に、その水を、隙間６４を通して、キャップ１２に形成した水抜き孔６５から排水できるようにしてある。
その他の構成は第１実施形態と同様である。
【００３９】
〔その他の実施形態〕
１．本発明による排水用配管構造は、側壁に形成した貫通孔に排水管を直に挿通して、その端部と端部開口とがユニットバスの内側に露出するよう固定してあっても良い。
２．本発明による排水用配管構造は、排水管を金属製や樹脂製の可撓管で構成してあっても良い。
【図面の簡単な説明】
【００４０】
【図１】ユニットバスの概略斜視図
【図２】要部の縦断面図
【図３】要部の正面図
【図４】第２実施形態を示す要部の側面図
【図５】第２実施形態を示す要部の正面図
【図６】第２実施形態を示す要部の背面図
【図７】第２実施形態を示す要部の縦断面図
【図８】キャップ及び保持部材を外した状態での第２実施形態を示す要部の正面図
【図９】従来技術の説明図
【符号の説明】
【００４１】
１  排水管
２  側壁
３  貫通孔
４  排水口
５  中空ケース
１４  シール機構
１５  端部開口
１６  固定機構
１７  第１シール部
１８  第２シール部
３１  固定部
３２  固定部
Ａ  補助装置
Ｂ  ユニットバス
【図１】
2008214909.tif 000003
【図２】
2008214909.tif 000004
【図３】
2008214909.tif 000005
【図４】
2008214909.tif 000006
【図５】
2008214909.tif 000007
【図６】
2008214909.tif 000008
【図７】
2008214909.tif 000009
【図８】
2008214909.tif 000010
【図９】
2008214909.tif 000011